(57)【特許請求の範囲】
【請求項１】
傾斜面とこれに連なる水切部を備え、建築物の外壁面に取り付けられる水切板において、
前記傾斜面の両端部に、前記傾斜面の両端部に沿って直線的に形成された縁部側撥水処理部と、この縁部側撥水処理部から所定の間隔で下向き方向に形成された複数の斜線から成る縞状の撥水処理部とを形成して成る
ことを特徴とする水切板。
【請求項２】
傾斜面とこれに連なる水切部を備え、建築物の外壁面に取り付けられる水切板において、
前記水切部の両端部に、前記水切部の両端部に沿って直線的に形成された縁部側撥水処理部と、この縁部側撥水処理部から所定の間隔で下向き方向に形成された複数の斜線から成る縞状の撥水処理部とを形成して成る
ことを特徴とする水切板。
【請求項３】
傾斜面とこれに連なる水切部を備える複数の水切部材を、各水切部材の端部を接合することにより建築物の外壁面に取り付けられる水切板において、
前記傾斜面の両端部および接合部に、前記傾斜面の両端部および接合部に沿って直線的に形成された縁部側撥水処理部と、この縁部側撥水処理部から所定の間隔で下向き方向に形成された複数の斜線から成る縞状の撥水処理部とを形成して成る
ことを特徴とする水切板。
【請求項４】
傾斜面とこれに連なる水切部を備える複数の水切部材を、各水切部材の端部を接合することにより建築物の外壁面に取り付けられる水切板において、
前記水切部の両端部および接合部に、前記水切部の両端部および接合部に沿って直線的に形成された縁部側撥水処理部と、この縁部側撥水処理部から所定の間隔で下向き方向に形成された複数の斜線から成る縞状の撥水処理部とを形成して成る
ことを特徴とする水切板。
【請求項５】
傾斜面とこれに連なる水切部を備え、建築物の外壁面に取り付けられる水切板において、
前記傾斜面の両端部および前記水切部の両端部に、前記傾斜面および水切部の両端部に沿って直線的に形成された縁部側撥水処理部と、この縁部側撥水処理部から所定の間隔で下向き方向に形成された複数の斜線から成る縞状の撥水処理部とを形成して成る
ことを特徴とする水切板。
【請求項６】
傾斜面とこれに連なる水切部を備え、建築物の外壁面に取り付けられる水切板において、
前記傾斜面の両端部および接合部並びに前記水切部の両端部および接合部に、前記傾斜面の両端部および接合部並びに前記水切部の両端部および接合部に沿って直線的に形成された縁部側撥水処理部と、この縁部側撥水処理部から所定の間隔で下向き方向に形成された複数の斜線から成る縞状の撥水処理部とを形成して成る
ことを特徴とする水切板。
【発明の詳細な説明】
【０００１】
【発明の属する技術分野】
本発明は、例えば、開口下部やパラペット下部など建物外壁面の雨水による汚れを防止する水切板に関するものである。
【０００２】
【従来の技術】
図８は、従来の水切板を示す。水切板１は、傾斜面２とこれに連なる水切部３を備えており、これらの表面は、アクリル電着塗装などの表面処理が施されている。
そして、水切部３の裏面側には、シーリング材４が配され、水切部３との間が所定距離隔てられている。
【０００３】
この種の水切板１では、落下してきた雨水６は、水切板１の表面に施された塗膜の撥水作用によりはじかれ、図９に示すように、数本の局所的な水流７となり、傾斜面２の上面側を勢いよく流れる。そして、この傾斜面２に連なる水切部３を介して流下するようになっている。
【０００４】
【発明が解決しようとする課題】
しかし、従来の水切板１では、図１０に示すように、水切板１の両端部１ａおよび接合部１ｂは、通常何の処理も施されていないことが多く、雨水は風雨により水切板１の前方の水切部３よりも、水切板の両端部１ａへ流されたり、接合部１ｂに施工されたシーリング材８を水みち７として流下する。水切板１の両端部１ａや接合部１ｂは水切性能が充分ではなく、壁面を雨水が流下してしまう。その結果、開口部の両端や接合部１ｂの下部に汚れの発生している事例が多く見られる。
【０００５】
また、このようなの汚れを防止するため、水切板１の両端部１ａに金属製の立ち上がり部材を取り付ける方法も用いられているが、意匠や経済性の点から、採用されるケースは少ない。
本発明は斯かる従来の問題点を解決するためになされたもので、その目的は、意匠上の問題となる金属製の部材を必要とせず、水切板の両端部または接合部からの流下を防止し、建物外壁面の汚れ防止を確実に行うことのできる水切板を提供することにある。
【０００６】
【課題を解決するための手段】
請求項１に係る水切板は、傾斜面とこれに連なる水切部を備え、建築物の外壁面に取り付けられる水切板において、前記傾斜面の両端部に、前記傾斜面の両端部に沿って直線的に形成された縁部側撥水処理部と、この縁部側撥水処理部から所定の間隔で下向き方向に形成された複数の斜線から成る縞状の撥水処理部とを形成して成る傾斜面とこれに連なる水切部を備え、建築物の外壁面に取り付けられる水切板において、前記傾斜面の両端部に、複数の斜線から成る縞状の撥水処理部を形成して成ることを特徴とする。
【０００７】
請求項２に係る水切板は、傾斜面とこれに連なる水切部を備え、建築物の外壁面に取り付けられる水切板において、前記傾斜面の両端部に、前記水切部の両端部に沿って直線的に形成された縁部側撥水処理部と、この縁部側撥水処理部から所定の間隔で下向き方向に形成された複数の斜線から成る縞状の撥水処理部とを形成して成ることを特徴とする。
【０００８】
請求項３に係る水切板は、傾斜面とこれに連なる水切部を備える複数の水切部材を、各水切部材の端部を接合することにより建築物の外壁面に取り付けられる水切板において、前記傾斜面の両端部および接合部に、前記傾斜面の両端部および接合部に沿って直線的に形成された縁部側撥水処理部と、この縁部側撥水処理部から所定の間隔で下向き方向に形成された複数の斜線から成る縞状の撥水処理部とを形成して成ることを特徴とする。
【０００９】
請求項４に係る水切板は、傾斜面とこれに連なる水切部を備える複数の水切部材を、各水切部材の端部を接合することにより建築物の外壁面に取り付けられる水切板において、前記水切部の両端部および接合部に、前記水切部の両端部および接合部に沿って直線的に形成された縁部側撥水処理部と、この縁部側撥水処理部から所定の間隔で下向き方向に形成された複数の斜線から成る縞状の撥水処理部とを形成して成ることを特徴とする。
【００１０】
請求項５に係る水切板は、傾斜面とこれに連なる水切部を備え、建築物の外壁面に取り付けられる水切板において、前記傾斜面の両端部および前記水切部の両端部に、前記傾斜面および水切部の両端部に沿って直線的に形成された縁部側撥水処理部と、この縁部側撥水処理部から所定の間隔で下向き方向に形成された複数の斜線から成る縞状の撥水処理部とを形成して成ることを特徴とする。
【００１１】
請求項６に係る水切板は、傾斜面とこれに連なる水切部を備え、建築物の外壁面に取り付けられる水切板において、前記傾斜面の両端部および接合部並びに前記水切部の両端部および接合部に、前記傾斜面の両端部および接合部並びに前記水切部の両端部および接合部に沿って直線的に形成された縁部側撥水処理部と、この縁部側撥水処理部から所定の間隔で下向き方向に形成された複数の斜線から成る縞状の撥水処理部とを形成して成ることを特徴とする。
【００１３】
本発明において、撥水処理とは、例えば、フッ素樹脂、シリコーン樹脂などの撥水性塗料を塗布することをいう。撥水性表面は、水との静的接触角が６０度から１８０度程度となるよう設定されている。
【００１４】
（作用）
請求項１に係る水切板においては、外壁面および窓枠などを伝わり傾斜面に落下した雨水は、傾斜面の両端部に施された複数の斜線から成る縞状の撥水処理部によりはじかれて下部または中央部へ流下する。また、風などにより横方向へ押される雨水を縁部側撥水処理部が阻止し、下部または中央部へ流下させることができる。
したがって、建物外壁に雨水が伝わることなく、汚れ防止や室内への漏水防止を確実に行うことができる。
【００１５】
請求項２に係る水切板においては、外壁面および窓枠などを伝わり傾斜面に落下した雨水は、水切部の両端部に施された複数の斜線から成る縞状の撥水処理部によりはじかれて下部または中央部へ流下する。また、風などにより横方向へ押される雨水を縁部側撥水処理部が阻止し、下部または中央部へ流下させることができる。
したがって、建物外壁に雨水が伝わることなく、汚れ防止や室内への漏水防止を確実に行うことができる。
【００１６】
請求項３に係る水切板においては、外壁面および窓枠などを伝わり傾斜面に落下した雨水は、傾斜面の両端部に施された複数の斜線から成る縞状の撥水処理部によりはじかれて下部または中央部へ流下する。また、接合部に施された複数の斜線から成る縞状の撥水処理部によりはじかれて下部または中央部へ流下する。さらに、風などにより横方向へ押される雨水を縁部側撥水処理部が阻止し、下部または中央部へ流下させることができる。
したがって、建物外壁に雨水が伝わることなく、汚れ防止や室内への漏水防止を確実に行うことができる。
【００１７】
請求項４に係る水切板においては、外壁面および窓枠などを伝わり傾斜面に落下した雨水は、水切部の両端部に施された複数の斜線から成る縞状の撥水処理部によりはじかれて下部または中央部へ流下する。また、接合部に施された複数の斜線から成る縞状の撥水処理部によりはじかれて下部または中央部へ流下する。さらに、風などにより横方向へ押される雨水を縁部側撥水処理部が阻止し、下部または中央部へ流下させることができる。
したがって、建物外壁に雨水が伝わることなく、汚れ防止や室内への漏水防止を確実に行うことができる。
【００１８】
請求項５に係る水切板においては、外壁面および窓枠などを伝わり傾斜面に落下した雨水は、傾斜面の両端部および水切部の両端部に施された複数の斜線から成る縞状の撥水処理部によりはじかれて下部または中央部へ流下する。さらに、風などにより横方向へ押される雨水を縁部側撥水処理部が阻止し、下部または中央部へ流下させることができる。
したがって、建物外壁に雨水が伝わることなく、汚れ防止や室内への漏水防止を確実に行うことができる。
【００１９】
請求項６に係る水切板においては、外壁面および窓枠などを伝わり傾斜面に落下した雨水は、傾斜面の両端部および接合部並びに水切部の両端部および接合部に施された複数の斜線から成る縞状の撥水処理部によりはじかれて下部または中央部へ流下する。さらに、風などにより横方向へ押される雨水を縁部側撥水処理部が阻止し、下部または中央部へ流下させることができる。
したがって、建物外壁に雨水が伝わることなく、汚れ防止や室内への漏水防止を確実に行うことができる。
【００２１】
【発明の実施の形態】
次に、本発明の実施形態を図面により説明する。
【００２２】
図１ないし図３は、本発明の請求項６に係る水切板の一実施形態を示す。
水切板１０は、従来と同様に、例えば、傾斜面１１とこれに連なる水切部１３を備える２枚のアルミ製の水切部材１０Ａを、両水切部材１０Ａの端部を接合することにより構成されている。両水切部材１０Ａの接合部１０Ｂには、シーリング材１６が設けられている。
【００２３】
この水切板１０は、建物２０の外壁面２１の窓枠２２下方位置に取り付けられ、水切板１０の下部側の外壁面２４より外側へ確実に雨水を排出するものである。また、水切部１３と外壁面２４との間にはシーリング材２３が配されている。水切板１０の傾斜面１１の上面側１２および水切部１３の表面側１４の両端部１１ａ，１３ａには、縞状の撥水処理部１５が形成されている。
【００２４】
この縞状の撥水処理部１５は、傾斜面１１の両端部１１ａに沿って直線的に形成された縁部側撥水処理部１５Ａと、この縁部側撥水処理部１５Ａから所定の間隔で下向き方向に形成された複数の斜線１５ｂからなる縞状の撥水処理部１５Ｂとで構成されている。
撥水処理部１５は、水との静的接触角が６０度から１８０度程度となるようフッ素系撥水材などの表面撥水材を一定の間隔を空けて斜めに縞状に塗布することにより得られた表面である。
【００２５】
本実施形態では、縞状の撥水処理部１５Ｂの斜線１５ｂの幅を５ｍｍ、間隔を１５ｍｍ、角度を６０度とした。
ここで、角度については、より勾配が急な場合は、もっと小さい角度でも良い。また、間隔については、あまり詰まりすぎると水が滞留して減速することができなくなる。斜線１５ｂの幅については、撥水処理部１５に滴下した水はコントロールできないので、特に端部についてはあまり太くならない方が適している。撥水処理部１５は、長い方がコントロールしやすいが、経済的に判断しても、５ｃｍ程度が妥当である。
【００２６】
このように構成された水切板１０によれば、外壁面２１および窓枠２２などを伝わり、傾斜面１１の上面に落下した雨水３０は、図２に示すように、傾斜面１１の上面側１２および水切部１３の表面側１４の両端部１１ａ，１３ａに形成されている縞状の撥水処理部１５によりはじかれて下部へ流下する。また、表面処理を施した部分へ直接流下した雨水も、斜めに塗布された撥水処理部１５表面にて水切り中央部方向へ流下する。
【００２７】
そして、撥水処理部１５には、縁部側撥水処理部１５Ａが形成されているので、水量が多くても確実にはじき、撥水処理部１５の外側へ流れることがない。
また、接合部１０Ｂにおいても、撥水処理部１５によりシーリング材１６方向への流れが阻止され、従来のようにシーリング材１６を水みちとするような不具合が解消される。
【００２８】
したがって、建物外壁に雨水が伝わることなく、汚れ防止や室内への漏水防止を確実に行うことができる。
なお、上記実施形態では、２枚のアルミ製の水切部材１０Ａを、両水切部材１０Ａの端部を接合することにより構成した場合について説明したが、本発明はこれに限らず、３枚以上の水切部材１０Ａの端部を接合することにより構成しても良い。
【００２９】
また、上記実施形態では、２枚のアルミ製の水切部材１０Ａを、両水切部材１０Ａの端部を接合することにより構成した場合について説明したが、本発明はこれに限らず、下記のような態様がある。
例えば、請求項１に係る水切板のように、１枚の水切部材を用い、その傾斜面の両端部に、複数の斜線から成る縞状の撥水処理部を形成しても良い。この場合には、図１ないし図４に示す実施形態の一方側の水切部材１０Ａで構成される。図５は、その傾斜面１１のみを示す。
【００３０】
請求項２に係る水切板のように、１枚の水切部材を用い、水切部の両端部に、複数の斜線から成る縞状の撥水処理部を形成しても良い。この場合には、図１ないし図４に示す実施形態の一方側の水切部材１０Ａで構成される。図６は、その水切部１３のみを示す。
請求項３に係る水切板のように、複数の水切部材を用い、その傾斜面の両端部および接合部に、複数の斜線から成る縞状の撥水処理部を形成しても良い（この場合には、図１ないし図４に示す実施形態の水切部材１０Ａの水切部１３を除く領域で構成される）。
【００３１】
請求項４に係る水切板のように、複数の水切部材を用い、水切部の両端部および接合部に、複数の斜線から成る縞状の撥水処理部を形成しても良い。この場合には、図１ないし図４に示す実施形態の水切部材１０Ａの傾斜面１１を除く領域で構成される。
請求項５に係る水切板のように、１枚の水切部材を用い、傾斜面の両端部および水切部の両端部に、複数の斜線から成る縞状の撥水処理部を形成しても良い。この場合には、図１ないし図４に示す実施形態の一方側の水切部材１０Ａで構成される。
【００３２】
また、上記実施形態では、縞状の撥水処理部１５を、傾斜面１１の両端部１１ａに沿って直線的に形成された縁部側撥水処理部１５Ａと、この縁部側撥水処理部１５Ａから所定の間隔で下向き方向に形成された複数の斜線１５ｂからなる縞状の撥水処理部１５Ｂとで構成した場合について説明したが、本発明はこれに限らず、縞状の撥水処理部１５Ｂによる横方向の流れを制御できる場合には、縁部側撥水処理部１５Ａを省略しても良い。
【００３３】
また、上記実施形態では、木造の建物について説明したが、本発明はこれに限らず、例えば、石材またはタイルなどの建築部材でも適用が可能である。
また、上記実施形態では、窓枠の下部に設けられる水切板について説明したが、本発明はこれに限らず、パラペット用笠木の水切板、庇の水切板などにも当然に適用できるものである。
【００３４】
（実験例）
図７（イ）（ロ）（ハ）（ニ）に示す４種類の水切板について試験を行った。図７（イ）に示す水切板は、端部に下向き方向に形成された複数の斜線１５ｂから成る縞状の撥水処理部１５Ｂを設けたものである。
図７（ロ）に示す水切板は、端部に沿って直線的に形成された縁部側撥水処理部１５Ａと、この縁部側撥水処理部１５Ａから所定の間隔で下向き方向に形成された複数の斜線１５ｂからなる縞状の撥水処理部１５Ｂを設けたものである。
【００３５】
図７（ハ）に示す水切板は、端部に一定の幅を有する撥水処理部１５Ｃを設けたものである。
図７（ニ）に示す水切板は、端部に上部から下部に向かって広幅となる三角形状の撥水処理部１５Ｄを設けたものである。
なお、図７（イ）、（ロ）に示す水切板の縞状の撥水処理部１５Ｂの斜線１５ｂの幅を５ｍｍ、間隔を１５ｍｍ、角度を６０度とした。
【００３６】
これらに対し、並雨（毎分０．２５リットル／ｍ2）〜豪雨（毎分１．０リットル／ｍ2）に相当する水をかけたところ、次のような結果を得た。
先ず、図７（イ）に示す水切板では、水量が多いと、縁部側撥水処理部１５Ａの斜線１５ｂの隙間より横へ流れた。すなわち、横方向からの風により水切板を経ずに、側面より流れ落ちた。
【００３７】
図７（ロ）に示す水切板では、縁部側撥水処理部１５Ａで減速されて中央部側へ流れ、適切に処理された。
図７（ハ）に示す水切板では、撥水処理部１５Ｃに滴下した水は横方向に流れた。水量が多いと、そのまま横方向へ流れた。
図７（ニ）に示す水切板では、撥水処理部１５Ｄに滴下した水は横方向に流れた。水量が多いと、そのまま横方向へ流れた。
【００３８】
以上の結果から、水切板の一般的な勾配が元々緩いものが多いため、横方向の水の流れに対して、できるだけ直交に近い角度で縞状の撥水処理部１５Ｂが構成されることが好ましいことが確認された。従って、斜線１５ｂの角度については、水切板の勾配によって最適のものがあると考えられる。
また、接触角の異なる表面に水が滴下されると、接触角の小さい濡れ易い表面へ流れて集まる。すでにある速度での水の流れが形成されている場合には、接触角が異なる縞状の撥水処理部１５Ｂの表面を経ることにより、流れが蛇行して速度が減速され、少ない水量が滴下された状況と同じで、接触角の小さい表面へと集まるようになり、水の流れる方向をコントロールし易くなることが確認できた。
【００３９】
しかし、図７（ハ）、（ニ）に示す水切板のように、接触角の大きい、水をはじく撥水面が広い範囲にある場合は、形成された水流の方向のままに流れ、少ない水量の場合でも、どの方向へ流れるかは判らなかった。
【００４０】
【発明の効果】
上述の如く、請求項１ないし請求項６に係る水切板においては、風雨などにより外壁面および窓枠などを伝わり傾斜面の両端部およびまたは接合部に流下した雨水は、両端部の撥水処理部においてはじかれ下部へ流下する。また、表面処理を施した部分へ直接流下した雨水も、傾斜面の両端部およびまたは接合部に斜めに塗布された撥水処理部表面にて水切板中央部方向へ流下する。したがって、建物外壁に雨水が伝わることなく、汚れ防止を確実に行うことができる。
【００４１】
また、傾斜面の下流側に位置する水切部の両端部およびまたは接合部に流下した雨水は、両端部の撥水処理部においてはじかれ下部へ流下する。また、表面処理を施した部分へ直接流下した雨水も、水切部の両端部およびまたは接合部に斜めに塗布された撥水処理部表面にて水切板中央部方向へ流下する。したがって、建物外壁に雨水が伝わることなく、汚れ防止を確実に行うことができる。
【図面の簡単な説明】
【図１】本発明の実施形態に係る水切板の傾斜面を示す概略平面図である。
【図２】本発明の実施形態に係る水切板の水切部を示す概略正面図である。
【図３】図１、２に示す本実施形態に係る水切板の使用状態をを示す概略側断面図である。
【図４】本実施形態における撥水処理部の作用を示す説明図である。
【図５】本発明の別の実施形態に係る水切板の傾斜面を示す概略平面図である。
【図６】本発明の実別の施形態に係る水切板の水切部を示す概略正面図である。
【図７】本発明の実験例に係る水切板の傾斜面を示す概略平面図である。
【図８】従来の水切板の使用状態をを示す概略側断面図である。
【図９】図８の要部を示す説明図である。
【図１０】図８の構成を示す説明図である。
【符号の説明】
１０  水切板
１０Ａ  水切部材
１０Ｂ  水切部材１０Ａの接合部
１１  傾斜面
１１ａ  傾斜面１１の両端部
１２  上面側
１３  水切部
１３ａ  水切部１３の両端部
１４  表面側
１５  撥水処理部
１５Ａ  縁部側撥水処理部
１５Ｂ  縞状の撥水処理部
１５ｂ  斜線
１６  シーリング材
２０  建物
２３  シーリング材
２４  外壁面
【図１】
0003762555.tif 000002
【図２】
0003762555.tif 000003
【図３】
0003762555.tif 000004
【図４】
0003762555.tif 000005
【図５】
0003762555.tif 000006
【図６】
0003762555.tif 000007
【図７】
0003762555.tif 000008
【図８】
0003762555.tif 000009
【図９】
0003762555.tif 000010
【図１０】
0003762555.tif 000011